(57)【要約】【課題】  外壁材の接合目地部表面を平滑にでき、クラックの発生を防ぐことができて、作業性，仕上がり精度が向上し、長期耐久性を確保できる外壁の無目地構造および無目地構造の処理方法を提供する。【解決手段】  複合金属サイディングで構成される外壁材３ａ，３ｂの接合目地部６の表面に、エポキシ樹脂で構成される硬質樹脂７ａを塗布し、その上に伸縮性のない網体８を配置し、さらにその上を硬質樹脂７ｂで被覆して、硬質樹脂７ａ，７ｂ内に網体８が埋設した状態にして目地部６の表面を補強する。【選択図】  図１
2006097354.tif 000002
【特許請求の範囲】
【請求項１】
複合金属サイディングで構成される外壁材の接合目地部表面を、硬質樹脂内に埋設させた網体で被覆したことを特徴とする外壁の無目地構造。
【請求項２】
前記硬質樹脂がエポキシ樹脂であり、前記網体がガラス繊維ネットであることを特徴とする請求項１に記載の外壁の無目地構造。
【請求項３】
複合金属サイディングで構成される外壁材の接合目地部表面に硬質樹脂を塗布し、その上に網体を配置し、さらにその上を硬質樹脂で被覆することを特徴とする外壁の無目地処理方法。
【発明の詳細な説明】
【技術分野】
【０００１】
本発明は、外壁の無目地構造および外壁の無目地処理方法に関するものである。
【背景技術】
【０００２】
過去においては、建物の外壁は、珪酸カルシウムボードのような窯業系サイディングやセメントボードや金属サイディングで接合目地部を形成させて構築していたが、近年においては、建物の外壁材の接合目地部を無目地状として大壁とする構造が好まれており、例えば特許文献１に開示されているように、モルタル系外壁材の接合目地部の表面にセメントモルタルを充填し、その外側をガラス繊維ネットで被覆する工法が存在し、また、特許文献２に開示されているように、サイディング系外壁材の接合目地部の表面を弾性接着剤と網体で被覆し、弾性により目地部に掛かる応力を緩和するとともに、目地部を平滑にして大壁とする工法が存在する。
【特許文献１】特開２００２−１６１６２３号公報
【特許文献２】実用新案登録第２５９２５０１号公報
【発明の開示】
【発明が解決しようとする課題】
【０００３】
上記特許文献１に開示されている工法では、セメントモルタルを目地部の表面に塗着させるために、左官などによる職人仕事が必要となるという問題点があった。
上記特許文献２に開示されているような工法では、目地部に弾性材を使用するため、初期の目地痩せや、躯体の動きによる変形の危険性があった。そのため板をほぼ突きつけで施工し目地量を減らす必要があるなど、張り方に制約を受け、施工性が悪くなるという問題点があった。
また、特許文献２に開示されている工法で、硬質樹脂を板間処理に使用すると、サイディングなど外壁材の動きに追従できず、目地割れはもちろん、外壁材の破壊などの不具合を生じることもある。
【課題を解決するための手段】
【０００４】
本発明は上記従来の問題点に鑑み案出したものであって、作業性，仕上がり性が向上し、長期耐久性が確保される外壁の無目地構造およびその処理方法を提供せんとするものであり、その請求項１は、複合金属サイディングで構成される外壁材の接合目地部表面を、硬質樹脂内に埋設させた網体で被覆したことである。
また、請求項２は、前記硬質樹脂がエポキシ樹脂であり、前記網体がガラス繊維ネットであることである。
また、請求項３は、複合金属サイディングで構成される外壁材の接合目地部表面に硬質樹脂を塗布し、その上に網体を配置し、さらにその上を硬質樹脂で被覆することである。
【発明の効果】
【０００５】
本発明の外壁の無目地構造は、複合金属サイディングで構成される外壁材の接合目地部表面を硬質樹脂内に埋設させた網体で被覆したことにより、外壁材の接合目地部を硬質樹脂でならすことで平滑にすることができ、さらに網体で補強することで、外壁材の動きによるクラックの発生を抑制できるものとなり、大壁にするための平滑性の調整とクラック防止を行うことができ、作業性，仕上がり性が向上するものとなる。
【０００６】
また、硬質樹脂がエポキシ樹脂であり、網体がガラス繊維ネットであることにより、エポキシ樹脂を使用することで高硬度，高靭性となり、平滑性を維持しやすく、またガラス繊維ネットを使用することで長期使用にも劣化せず、長期間に亘ってクラックの抑制を期待できるものとなり、大壁面の仕上がり精度の向上と長期耐久性の確保が可能となる。
【０００７】
また、外壁の無目地処理方法は、複合金属サイディングで構成される外壁材の接合目地部表面に硬質樹脂を塗布し、その上に網体を配置し、さらにその上を硬質樹脂で被覆することとしたため、職人によらなくても比較的容易に施工することができ、作業性が向上するとともに仕上がり精度も向上するものとなる。
【実施例】
【０００８】
以下、本発明の実施例を図面に基づいて説明する。
図１は、建物の外壁材の接合目地部を無目地状とし得る、無目地構造の斜視図であり、図２は、その平面構成図である。
【０００９】
図において、建物の柱１の外側には透湿防水シート２が配設され、その外側に外壁材３ａ，３ｂが配置されるが、本例の外壁材３ａ，３ｂは、金属パネル間にウレタン断熱材が入った金属サンドイッチパネル（複合金属サイディング）が用いられている。
この外壁材３ａ，３ｂの接合目地部には、縦目地ジョイナー４が介装されて、その表面側には目地材６が充填されている。この目地材６は柔らかい変性シリコンが用いられ、良好な目地部の防水性が確保されている。
【００１０】
なお、外壁材３ａ，３ｂには外側よりビス５，５がそれぞれ柱１にねじ込まれて、外壁材３ａ，３ｂが柱１に固定されており、このビス５，５の表面側には硬質樹脂であるエポキシ樹脂が塗られて、ビス５，５の頭部が隠されている。
また、目地材６の表面側には、目地材６が表面側に出てくることのないように、硬質樹脂であるエポキシ樹脂またはアクリル樹脂が外壁材３ａ，３ｂ間を跨ぐように塗布される。
【００１１】
この塗布された硬質樹脂７ａが柔らかいうちに、その表面側に網体８が配置される。この網体８は伸縮のない網体であり、ガラス繊維ネットで構成されている。
さらに、この網体８の表面側に、エポキシ樹脂あるいはアクリル樹脂で構成される硬質樹脂７ｂが塗布されて、硬質樹脂７ａ，７ｂ間に網体８が埋設状となるように施工される。
【００１２】
このようにして外壁材３ａ，３ｂの接合目地部の表面を、硬質樹脂７ａ，７ｂ内に埋設させた網体８で被覆することができ、これにより外壁材の接合目地部表面を平滑にすることができ、さらに伸縮性のない網体８で接合目地部の表面を補強することができ、地震とか風等により外壁材３ａ，３ｂに動きが生じた時にも、この接合目地部表面は硬質樹脂７ａ，７ｂと伸縮性のない網体８で補強されているため、この接合目地部は動くことがなく、接合目地部にクラックが発生することを良好に抑制できるものとなる。
【００１３】
即ち、エポキシ樹脂とかアクリル樹脂による硬質樹脂７ａ，７ｂで高硬度と高靭性が確保され、しかも硬質樹脂７ａ，７ｂは肉痩せしにくいため平滑性を維持しやすくなり、また、ガラス繊維ネットの網体８で長期使用による劣化を防いで、長期間に亘ってクラックの発生を抑制でき、耐久性を確保することができるものとなる。
【００１４】
なお、このように硬質樹脂７ａ，７ｂと伸縮性のない網体８で強固に接合目地部を補強して動きによるクラックの発生を抑制できるのは、外壁材３ａ，３ｂがウレタン断熱材などが入った複合金属サイディングで構成されているためである。即ち、地震とか風等による応力が外壁材３ａ，３ｂに発生しても、ウレタン断熱材などによりこの応力を良好に吸収できるため、接合目地部は動きのない硬質な構造にしておくことができるのである。
【００１５】
このように外壁材３ａ，３ｂの接合目地部の挙動を抑制して、クラックの発生を無くすことができ、しかも柔らかい目地材６が表面に出てくると意匠性が悪くなるため、この目地材６を硬い硬質樹脂７ａ，７ｂと網体８で被覆して、良好に無目地構造とすることができ、外壁材３ａ，３ｂが連続した目地の見えない１枚壁状態の大壁を良好に構築することができるものとなる。
【００１６】
なお、図に示すように、さらに表面側にはエポキシ変性シリコン等の下塗り材９が塗布され、さらにその表面に、石とか砂が混入されたエポキシ変性シリコンによる仕上げ材１０が塗布されて、外壁面が仕上げられるものである。
なお、この仕上げ材１０に代えて、表面側にタイルを貼着して仕上げる場合もある。
【図面の簡単な説明】
【００１７】
【図１】外壁の無目地構造を示す要部斜視構成図である。
【図２】図１の平面構成図である。
【符号の説明】
【００１８】
１  柱
２  透湿防水シート
３ａ，３ｂ  外壁材
４  縦目地ジョイナー
５  ビス
６  目地材
７ａ，７ｂ  硬質樹脂
８  網体
９  下塗り材
１０  仕上げ材
【図１】
2006097354.tif 000003
【図２】
2006097354.tif 000004